(57)【特許請求の範囲】
【請求項１】
クライアント装置（１２）であって、
プロセッサ（１８）と、
ライセンシング可能コンポーネントを提供するサードパーティサーバ（ＴＰＳ）（２００）へのリンクの選択を示すために前記プロセッサ（１８）と通信するように構成された入力装置（３０）と、
命令を有するコンピュータ可読記憶媒体（２０）と、
を備え、前記命令は、前記プロセッサ（１８）により、
前記選択に応答して、及び前記リンクの選択に従って前記リンクにアクセスする前に、前記クライアント装置のメーカーに所属するクライアント装置メーカーサーバ（ＣＤＭＳ）（９８、２０６）に、前記ＴＰＳ（２００）から前記ライセンシング可能コンポーネントをダウンロードするための許可を要求し、
前記ＴＰＳ（２００）から前記ライセンシング可能コンポーネントをダウンロードするための許可が認められていないという判断に応答して、前記ライセンシング可能コンポーネントをダウンロードせず、
前記ＴＰＳ（２００）から前記ライセンシング可能コンポーネントをダウンロードするための許可が認められたという判断に応答して、前記ＴＰＳ（２００）から前記ライセンシング可能コンポーネントをダウンロードする、
ように実行可能であり、
前記クライアント装置は、前記ライセンシング可能コンポーネントを有効又はそのロックを解除するために前記クライアント装置に入力されなければならない重要コード部分及び／又はライセンス情報を受信し、
前記ライセンシング可能コンポーネントは、前記重要コード部分の供給前に前記ライセンス可能コンポーネントと関連するライセンシング可能な機能を実行することはできず、前記ライセンス可能な機能を実行するのに必要とされるソフトウェアコードの他の部分が前記クライアント装置と共に販売されているとしても、前記ライセンシング可能な機能は単に保護されているだけではなく事実上存在しないものであり、
前記ライセンス情報及び／又は前記重要コード部分は、前記クライアント装置の適切な内部コンポーネントに自動的に入力され、又は、前記ライセンス情報及び／又は前記重要コード部分を入力するように促すために前記クライアント装置に表示され、
ライセンス料データは、課金情報を生成する際に用いるために保持され、前記ライセンス料データは、ライセンシングエンティティ又はエージェントにアップロードされるまで、前記クライアント装置に記憶される
ことを特徴とするクライアント装置（１２）。
【請求項２】
前記クライアント装置（１２）は、前記ＴＰＳ（２００）からネットワークを介して前記ライセンシング可能コンポーネントをダウンロードできるという情報を受け取る、
ことを特徴とする請求項１に記載のクライアント装置。
【請求項３】
前記クライアント装置（１２）は、許可が認められるか未決定の間、前記プロセッサ（１８）がブラウザによって前記リンクのアクセスを遅らせる、
ことを特徴とする請求項１に記載のクライアント装置。
【請求項４】
前記クライアント装置（１２）は、前記ＣＤＭＳ（２０６）から断定的な「認めない」という応答を受け取ったことに基づいて、前記ライセンシング可能コンポーネントをダウンロードするための許可が認められていないと判断する、
ことを特徴とする請求項１に記載のクライアント装置。
【請求項５】
前記クライアント装置（１２）は、タイムアウト期間が満了する前に前記ＣＤＭＳ（２０６）からいずれの応答も受け取らなかったことに基づいて、前記ライセンシング可能コンポーネントをダウンロードするための許可が認められていないと判断する、
ことを特徴とする請求項１に記載のクライアント装置。
【請求項６】
前記クライアント装置（１２）は、前記ＣＤＭＳ（２０６）から肯定的な「認める」という応答を受け取ったことに基づいて、前記ライセンシング可能コンポーネントをダウンロードするための許可が認められたと判断する、
ことを特徴とする請求項１に記載のクライアント装置。
【請求項７】
前記クライアント装置（１２）は、タイムアウト期間が満了する前に前記ＣＤＭＳ（２０６）からいずれの応答も受け取らなかったことに基づいて、前記ライセンシング可能コンポーネントをダウンロードするための許可が認められたと判断する、
ことを特徴とする請求項１に記載のクライアント装置。
【請求項８】
クライアント装置（１２）であって、
プロセッサ（１８）と、
ライセンシング可能コンポーネントを提供するサードパーティサーバ（ＴＰＳ）（２００）へのリンクの選択を示すように前記プロセッサ（１８）と通信するように構成された入力装置（３０）と、
命令を有するコンピュータ可読記憶媒体（２０）と、
を備え、前記命令は、前記プロセッサ（１８）により、
前記ＴＰＳ（２００）から前記ライセンシング可能コンポーネントを取得し、
前記ＴＰＳ（２００）から前記ライセンシング可能コンポーネントを取得したことに応答して、前記ライセンシング可能コンポーネントのロイヤルティの会計を容易にするために、前記ＴＰＳ（２００）から前記ライセンシング可能コンポーネントを取得したことを前記クライアント装置（１２）のメーカーに所属するクライアント装置メーカーサーバ（ＣＤＭＳ）（２０６）に通知する、
ように実行可能であり、
前記クライアント装置は、前記ライセンシング可能コンポーネントを有効又はそのロックを解除するために前記クライアント装置に入力されなければならない重要コード部分及び／又はライセンス情報を受信し、
前記ライセンシング可能コンポーネントは、前記重要コード部分の供給前に前記ライセンス可能コンポーネントと関連するライセンシング可能な機能を実行することはできず、前記ライセンス可能な機能を実行するのに必要とされるソフトウェアコードの他の部分が前記クライアント装置と共に販売されているとしても、前記ライセンシング可能な機能は単に保護されているだけではなく事実上存在しないものであり、
前記ライセンス情報及び／又は前記重要コード部分は、前記クライアント装置の適切な内部コンポーネントに自動的に入力され、又は、前記ライセンス情報及び／又は前記重要コード部分を入力するように促すために前記クライアント装置に表示され、
ライセンス料データは、課金情報を生成する際に用いるために保持され、前記ライセンス料データは、ライセンシングエンティティ又はエージェントにアップロードされるまで、前記クライアント装置に記憶される
ことを特徴とするクライアント装置（１２）。
【請求項９】
前記クライアント装置（１２）は、前記ＴＰＳ（２００）からネットワークを介して前記ライセンシング可能コンポーネントをダウンロードできるという情報を受け取る、
ことを特徴とする請求項８に記載のクライアント装置。
【請求項１０】
前記クライアント装置（１２）は、該クライアント装置（１２）が前記ライセンシング可能コンポーネントを取得して該ライセンシング可能コンポーネントを有効にしたことを前記ＣＤＭＳ（２０６）に通知する、
ことを特徴とする請求項８に記載のクライアント装置。
【請求項１１】
前記クライアント装置（１２）は、前記クライアント装置（１２）が前記ライセンシング可能コンポーネントを取得したことを前記ＣＤＭＳ（２０６）に通知し、前記ライセンシング可能コンポーネントを有効にするための許可を前記ＣＤＭＳ（２０６）に要求する、
ことを特徴とする請求項８に記載のクライアント装置。
【請求項１２】
前記クライアント装置（１２）は、前記ＣＤＭＳ（２０６）から肯定的な「認めない」という応答を受け取ったことに基づいて、前記ライセンシング可能コンポーネントを有効にするための許可が認められていないと判断し、これに応答して、前記ライセンシング可能コンポーネントを有効にしない、
ことを特徴とする請求項１１に記載のクライアント装置。
【請求項１３】
前記クライアント装置（１２）は、タイムアウト期間が満了する前に前記ＣＤＭＳ（２０６）からいずれの応答も受け取らなかったことに基づいて、前記ライセンシング可能コンポーネントを有効にするための許可が認められていないと判断し、これに応答して、前記ライセンシング可能コンポーネントを有効にしない、
ことを特徴とする請求項１１に記載のクライアント装置。
【請求項１４】
前記クライアント装置（１２）は、前記ＣＤＭＳ（２０６）から断定的な「認める」という応答を受け取ったことに基づいて、前記ライセンシング可能コンポーネントを有効にするための許可が認められたと判断し、これに応答して、前記ライセンシング可能コンポーネントを有効にする、
ことを特徴とする請求項１１に記載のクライアント装置。
【請求項１５】
前記クライアント装置（１２）は、タイムアウト期間が満了する前に前記ＣＤＭＳ（２０６）からいずれの応答も受け取らなかったことに基づいて、前記ライセンシング可能コンポーネントを有効にするための許可が認められたと判断し、これに応答して、前記ライセンシング可能コンポーネントを有効にする、
ことを特徴とする請求項１１に記載のクライアント装置。
【請求項１６】
クライアント装置（１２）のメーカーに所属しないサードパーティサーバ（ＴＰＳ）２００であって、前記クライアント装置（１２）の前記メーカーは、クライアント装置メーカーサーバ（ＣＤＭＳ）（２０６）に関連し、前記サードパーティサーバ（ＴＰＳ）２００は、
プロセッサ（２０２）と、
命令を有するコンピュータ可読記憶媒体（２０４）と、
を備え、前記命令は、前記プロセッサにより、
前記クライアント装置（１２）にライセンシング可能コンポーネントによって確立されたライセンシング可能な機能をダウンロードし、
前記ＣＤＭＳ（２０６）と通信して、ロイヤルティの会計が容易になるように、前記クライアント装置（１２）が前記ライセンシング可能コンポーネントを取得したことを前記ＣＤＭＳ（２０６）に通知する、
ように実行可能であり、
前記ライセンス可能コンポーネントは、ライセンシング可能な機能を有効又はそのロックを解除するために前記クライアント装置に入力されなければならないライセンス情報及び／又は重要コード部分によって少なくとも部分的に確立されており、前記重要コード部分が無ければライセンス可能な機能が前記クライアント装置によって実行され得ることはなく、前記重要コード部分の供給前に、前記ライセンス可能な機能を実行するのに必要とされるソフトウェアコードの他の部分が前記クライアント装置と共に販売されているとしても、前記ライセンシング可能な機能は単に保護されているだけではなく事実上存在しないようになっており、
前記ライセンス情報及び／又は前記重要コード部分は、前記クライアント装置の適切な内部コンポーネントに自動的に入力され、又は、前記ライセンス情報及び／又は前記重要コード部分を入力するように促すために前記クライアント装置に表示され、
ライセンス料データは、課金情報を生成する際に用いるために保持され、前記ライセンス料データは、ライセンシングエンティティ又はエージェントにアップロードされるまで、前記クライアント装置に記憶される
ことを特徴とするサードパーティサーバ（ＴＰＳ）（２００）。
【請求項１７】
前記ＴＰＳ（２００）は、前記ＴＰＳ（２００）により提供されるハイパーリンクの選択を前記クライアント装置（１２）から受け取ったことに応答して、前記クライアント装置（１２）に前記ライセンシング可能コンポーネントをダウンロードする、
ことを特徴とする請求項１６に記載のＴＰＳ。
【請求項１８】
前記ＴＰＳ（２００）は、前記クライアント装置（１２）に前記ライセンシング可能コンポーネントをダウンロードしたことに伴うロイヤルティの会計を実行する、
ことを特徴とする請求項１６に記載のＴＰＳ。
【請求項１９】
前記ＴＰＳ（２００）は、前記クライアント装置（１２）に前記ライセンシング可能コンポーネントをダウンロードしたことに伴うロイヤルティの会計を実行しない、
ことを特徴とする請求項１６に記載のＴＰＳ。
【発明の詳細な説明】
【技術分野】
【０００１】
本出願は、一般に、サードパーティによりオーディオビデオ装置に提供されたライセンシング可能コンポーネントを起動することに関する。
【背景技術】
【０００２】
テレビは、視聴者が様々なソースからの番組を視聴できるようにするために多くの技術を組み込んでいる。これらのソースは、（全米テレビジョン方式委員会、すなわちＮＴＳＣフォーマットを使用する）アナログ及び（高度テレビジョン方式委員会、すなわちＡＴＳＣフォーマットを使用する）デジタルＴＶ信号の地上波放送源を含む。通常、ＡＴＳＣ信号は、モーション・ピクチャ・エキスパート・グループ（ＭＰＥＧ−２）として知られているビデオ圧縮を使用し、従ってＴＶは、ＡＴＳＣ番組をサポートする場合にはＭＰＥＧ−２解凍をサポートしていなければならない。
【０００３】
ＮＴＳＣ又は直交振幅変調（ＱＡＭ）フォーマットにより、ケーブル提供による「基本」テレビ番組を提供することもできる。高精細マルチメディアインターフェイス（ＨＤＭＩ（登録商標））原理を使用して、ケーブル提供による「拡張」番組を提供することもできる。同様に、ＨＤＭＩ（登録商標）で衛星提供によるＴＶ信号を受信することもできる。同様に、多くの最新のＴＶ上には、データオーバケーブルサービスインターネット仕様（ＤＯＣＳＩＳ）フォーマットを含む様々なフォーマットでインターネットからのビデオを表示することもできる。さらに、ＴＶは、アドバンストオーディオコーディング（ＡＡＣ）、オーディオコード３（ＡＣ３）、デジタルシアターシステム（ＤＴＳ）などを含む複数のオーディオフォーマットをサポートするように構成されていることが多い。現代の視聴者が知っているように、ＴＶは、電子番組ガイド（ＥＰＧ）の提示をサポートするように期待されている。
【発明の概要】
【発明が解決しようとする課題】
【０００４】
本明細書で理解されるように、様々なＴＶ技術は、ライセンス料の支払いを必要とする。本明細書でさらに理解されるように、様々な番組ソースをサポートするために最新のＴＶに内蔵しなければならない多くの技術が使用されていないことがある。それにも関わらず、これらの未使用の技術に対するライセンス料が依然として支払われており、不必要にコストを積み上げている。このことは、クライアント装置が、ライセンシング可能な機能をサードパーティからクライアント装置のメーカーに対して透過的に受け取れる場合に複雑になり得る。
【課題を解決するための手段】
【０００５】
従って、クライアント装置が、プロセッサと、ライセンシング可能コンポーネントを提供するサードパーティサーバ（ＴＰＳ）へのリンクの選択を示すようにプロセッサと通信する入力装置と、命令を有するコンピュータ可読記憶媒体とを備え、この命令は、プロセッサにより、信号に応答して、及びリンクの選択に従ってライセンシング可能リンクにアクセスする前に、クライアント装置のメーカーに所属するクライアント装置メーカーサーバ（ＣＤＭＳ）に、ＴＰＳからライセンシング可能コンポーネントをダウンロードするための許可を要求するように実行可能である。プロセッサは、ＴＰＳからライセンシング可能コンポーネントをダウンロードするための許可が認められていないという判断に応答して、ライセンシング可能コンポーネントをダウンロードしない。一方、クライアント装置は、ライセンシング可能コンポーネントをダウンロードするための許可が認められたという判断に応答して、ＴＰＳからライセンシング可能コンポーネントをダウンロードする。
【０００６】
クライアント装置は、ＴＰＳからネットワークを介してライセンシング可能コンポーネントをダウンロードできるという情報を受け取ることができる。クライアント装置は、許可が認められるか未決定の間、プロセッサがブラウザによってリンクのアクセスを実行するのを遅らせることができる。いくつかの実施形態では、ＣＤＭＳから断定的な「認めない」という応答を受け取ったことに基づいて、ライセンシング可能コンポーネントをダウンロードするための許可が認められていないと判断する。クライアント装置は、タイムアウト期間が満了する前にＣＤＭＳからいずれの応答も受け取らなかったことに基づいて、ライセンシング可能コンポーネントをダウンロードするための許可が認められていないと判断することができる。対照的に、クライアント装置は、ＣＤＭＳから断定的な「認める」という応答を受け取ったことに基づいて、ライセンシング可能コンポーネントをダウンロードするための許可が認められたと判断することができる。さらに、タイムアウト期間が満了する前にＣＤＭＳからいずれの応答も受け取らなかったことに基づいて、ライセンシング可能コンポーネントをダウンロードするための許可が認められたと判断することができる。
【０００７】
別の態様では、クライアント装置が、プロセッサと、ライセンシング可能コンポーネントを提供するサードパーティサーバ（ＴＰＳ）へのリンクの選択を示すようにプロセッサと通信する入力装置と、命令を有するコンピュータ可読記憶媒体とを備え、この命令は、プロセッサにより、ＴＰＳからライセンシング可能コンポーネントを取得し、ＴＰＳからライセンシング可能コンポーネントを取得したことに応答して、ライセンシング可能コンポーネントのロイヤルティの会計を容易にするために、ＴＰＳからライセンシング可能コンポーネントを取得したことをクライアント装置のメーカーに所属するクライアント装置メーカーサーバ（ＣＤＭＳ）に通知するように実行可能である。
【０００８】
いくつかの実装では、クライアント装置が、このクライアント装置がライセンシング可能コンポーネントを取得してこれを有効にしたことをＣＤＭＳに通知する。他の実施形態では、クライアント装置が、このクライアント装置がライセンシング可能コンポーネントを取得したことをＣＤＭＳに通知し、ライセンシング可能コンポーネントを有効にするための許可をＣＤＭＳ（２０６）に要求する。この場合、クライアント装置は、ＣＤＭＳから断定的な「認めない」という応答を受け取ったことに基づいて、ライセンシング可能コンポーネントを有効にするための許可が認められていないと判断することができ、これに応答して、ライセンシング可能コンポーネントを有効にしない。或いは、クライアント装置は、タイムアウト期間が満了する前にＣＤＭＳからいずれの応答も受け取らなかったことに基づいて、ライセンシング可能コンポーネントを有効にするための許可が認められていないと判断することができ、これに応答して、ライセンシング可能コンポーネントを有効にしない。
【０００９】
実施形態例では、クライアント装置が、ＣＤＭＳから断定的な「認める」という応答を受け取ったことに基づいて、ライセンシング可能コンポーネントを有効にするための許可が認められたと判断することができ、これに応答して、ライセンシング可能コンポーネントを有効にする。さらに、クライアント装置は、タイムアウト期間が満了する前にＣＤＭＳからいずれの応答も受け取らなかったことに基づいて、ライセンシング可能コンポーネントを有効にするための許可が認められたと判断することができ、これに応答して、ライセンシング可能コンポーネントを有効にすることができる。
【００１０】
別の態様では、クライアント装置のメーカーに所属しないサードパーティサーバ（ＴＰＳ）が、プロセッサと、命令を有するコンピュータ可読記憶媒体とを含み、この命令は、プロセッサにより、クライアント装置にライセンシング可能な機能をダウンロードし、クライアント装置のメーカーに所属するクライアント装置メーカーサーバ（ＣＤＭＳ）と通信して、ロイヤルティの会計が容易になるように、クライアント装置がライセンシング可能コンポーネントを取得したことをＣＤＭＳに通知するように実行可能である。
【００１１】
同じ参照数字が同じ部分を示す添付図面を参照することにより、本発明の詳細を、その構造及び動作の両方に関して最も良く理解することができる。
【図面の簡単な説明】
【００１２】
【図１】本原理による非限定的なシステム例を示すブロック図である。
【図２】ＴＶの例を示すブロック図である。
【図３】本原理による非限定的なＴＶセットアップロジックを示すフロー図である。
【図４】ＡＴＳＣ復調器を起動する必要があるかどうかを自動的に検出するための非限定的なロジックを示すフロー図である。
【図５】ＡＴＳＣ復調器を起動するための代替方法を示す概略図である。
【図６】ＡＴＳＣ復調器を起動するための代替方法を示す概略図である。
【図７】ＡＴＳＣ復調器を起動するための代替方法を示す概略図である。
【図８】ＴＶのコンポーネントにライセンシングを行うための非限定的なロジックを示すフロー図である。
【図９】クライアント装置のメーカーに関連するサーバ及びクライアント装置にライセンシング可能な機能を提供するサードパーティサーバと通信するクライアント装置を示すブロック図である。
【図１０】クライアント装置のメーカーと、クライアント装置にライセンシング可能な機能を供給するサードパーティとの間で、ライセンシング可能な機能の起動及びロイヤルティの決定を調整するために使用するロジック例を示すフロー図である。
【図１１】クライアント装置のメーカーと、クライアント装置にライセンシング可能な機能を供給するサードパーティとの間で、ライセンシング可能な機能の起動及びロイヤルティの決定を調整するために使用するロジック例を示すフロー図である。
【図１２】クライアント装置のメーカーと、クライアント装置にライセンシング可能な機能を供給するサードパーティとの間で、ライセンシング可能な機能の起動及びロイヤルティの決定を調整するために使用するロジック例を示すフロー図である。
【図１３】クライアント装置のメーカーと、クライアント装置にライセンシング可能な機能を供給するサードパーティとの間で、ライセンシング可能な機能の起動及びロイヤルティの決定を調整するために使用するロジック例を示すフロー図である。
【発明を実施するための形態】
【００１３】
まず、図１に示す非限定的な実施形態例を参照すると、システム１０が、ＴＶなどのオーディオビデオ装置１２を含み、このオーディオビデオ装置は、ディスクベース又は固体記憶装置などの有形コンピュータ可読記憶媒体２０にアクセスするＴＶプロセッサ１８と通信するＴＶチューナ１６を含む。ＴＶ１２は、１又はそれ以上のスピーカ２２上で音声を出力することができる。ＴＶ１２は、ソフトウェア実装型ブラウザ２６を実行できるプロセッサ１２と通信する内蔵型有線又は無線モデム２４を使用して、インターネットからストリーミングビデオを受け取ることができる。ビデオは、ＴＶプロセッサ１８の制御により、以下に限定されるわけではないが、高精細ＴＶ（ＨＤＴＶ）フラットパネルディスプレイなどのＴＶディスプレイ２８上に表示される。プロセッサ１８へのユーザコマンドは、無線周波数又は赤外線などを使用して遠隔制御装置（ＲＣ）３０から無線で受け取ることができる。スマートフォン、ゲーム機、パーソナルデジタルオーガナイザ、ノートブックコンピュータ及び他のタイプのコンピュータなどのＴＶ以外のオーディオビデオディスプレイ装置を使用することもできる。
【００１４】
ディスプレイ２８及びスピーカ２２上には、ＴＶ１２と通信する地上波放送アンテナ３４が受け取った１又はそれ以上の地上波ＴＶ放送源３２からのＴＶ番組を提示することができる。この地上波放送番組は、デジタルＡＴＳＣ規格に準拠するとともに、地上波放送ＥＰＧを伝えることができるが、この地上波放送ＥＰＧは、イーサネット（登録商標）、又はケーブル通信リンク、又は衛星通信リンクを介してインターネットなどの別のソースから受け取ることもできる。
【００１５】
このＴＶでは、ケーブルＴＶヘッドエンド３６からのＴＶ番組を受け取って、ディスプレイ２８及びスピーカ２２上にＴＶ信号を提示することもできる。基本的なケーブルしか望まない場合には、通常は壁からのケーブルによってＴＶ信号をＱＡＭ又はＮＴＳＣフォーマットで伝え、米国ではこれがＴＶシャーシ上の「Ｆタイプコネクタ」３８に直接接続されるが、他の国ではこの目的に使用するコネクタが異なることもある。対照的に、例えばユーザが拡張ケーブルに加入している場合には、一般にヘッドエンド３６からの信号がＳＴＢ４０を介して送信され、このＳＴＢ４０は、ＴＶシャーシから分離しても、又はＴＶシャーシ内に統合してもよいが、いずれにせよこのＳＴＢ４０がＴＶにＨＤＭＩ（登録商標）ベースバンド信号を送信する。
【００１６】
同様に、衛星ソース４２から送信され家庭用衛星放送受信アンテナに付随する一体型受信機／デコーダ（ＩＲＤ）４４により受信されたＴＶ放送信号のＨＤＭＩ（登録商標）ベースバンド信号をＴＶ１２に入力して、ディスプレイ２８及びスピーカ２２上に提示することもできる。また、インターネット４６からストリーミングビデオを受信して、ディスプレイ２８及びスピーカ２２上に提示することもできる。ストリーミングビデオは、コンピュータモデム２４で受信することもでき、或いはＴＶ１２の外部にある家庭内モデム４８で受信し、有線又は無線イーサネット（登録商標）リンクを介してＴＶ１２に伝送して、ＴＶシャーシ上のＲＪ４５又は８０２．１１ｘアンテナで受信することもできる。
【００１７】
図２に、ＴＶ１２の例の詳細を示す。図示のように、ＴＶチューナ１６にはＡＴＳＣフォーマットの地上波信号が入力されるが、基本ケーブルを使用して壁ケーブルをＦタイプコネクタ３８に接続した場合には、同様にＮＴＳＣ又はＱＡＭフォーマットの基本ケーブルが入力される。一方、ＤＯＣＳＩＳチューナ５０でストリーミングインターネットビデオを受信し、ＤＯＣＳＩＳデコーダ／復調器５２で復調／復号することもできる。通常、ＤＯＣＳＩＳのコンポーネントは、ＴＶ１２から切り離して収容されるが、実施形態によってはＴＶ１２のシャーシに含めることもできる。
【００１８】
チューナ１６の出力は、受信した信号フォーマットに応じて、ＮＴＳＣデコーダ／復調器５４、又はＱＡＭデコーダ／復調器５６、又はＡＴＳＣデコーダ／復調器５８に送信することができる。ＮＴＳＣデコーダ／復調器５４からの出力は、ディスプレイ２８及びスピーカ２２に直接送信して提示することができる。一方、デジタルデコーダ／復調器５６、５８からの出力は、通常、トランスポートストリームデマルチプレクサ６０に送信され、このトランスポートストリームデマルチプレクサ６０が、選択したストリーム内の他の番組から所望の番組を分離して、この所望の番組をＭＰＥＧビデオデコーダ６２に送信し、このＭＰＥＧビデオデコーダ６２が、所望のＭＰＥＧ番組をさらに解凍し、この解凍した番組をＴＶディスプレイ２８に送信して提示する。デマルチプレクサ６０からの音声は、オーディオデコーダ６４に送信することができ、このオーディオデコーダ６４が、復号した音声をスピーカ２２に送信して提示する。
【００１９】
上述したデコーダ／復調器、デマルチプレクサ及びＭＰＥＧデコーダのシーケンスとは対照的に、ＳＴＢ４０又はＩＲＤ４４のいずれかからのビデオは、ＴＶ１２による受信時にはベースバンドＨＤＭＩ（登録商標）である。従って、ＳＴＢ４０又はＩＲＤ４４からの信号は、ＳＴＢ４０又はＩＲＤ４４とＴＶディスプレイ２８との間でさらにビデオ解凍されることなくＴＶディスプレイ２８に直接送信されて提示される。ＳＴＢ４０又はＩＲＤ４４からの音声は、例えばＡＣ３などのフォーマットのままである可能性があり、スピーカ２２上で再生する前に復号する必要があるので、図示のようにオーディオデコーダ６４を介して送信することができる。同様に、ＡＴＳＣ地上波ソース３２からの音声もＡＣ３フォーマットである可能性があり、従ってオーディオデコーダ６４を介して送信することができる。ＤＯＣＳＩＳデコーダ／復調器５２からのインターネットビデオは、図示のようにデマルチプレクサ６０及びデコーダ６２、６４を介して送信することができる。
【００２０】
ここで図３を参照すると、ブロック６６において、最初の電源オン時又はその後に、オンスクリーンユーザインターフェイス（ＵＩ）を使用して、ＴＶ１２のユーザを、メニューから様々なＴＶ機能をセットアップするセットアップルーチンに導くことができる。一例として、ユーザがＴＶ内の１又はそれ以上のライセンシング可能コンポーネントを使用したいと望む場合、ユーザにそのコンポーネントを尋ねることができる。これは、放送スペクトルを自動的にスキャンしてチャネルを検出したいと望むかどうかをユーザに尋ねることなどによって暗黙的に行うことができ、その場合には、ＡＴＳＣデコーダ／復調器５８及びＭＰＥＧデコーダ６２が必要になると推測され、従ってこれらのコンポーネントを使用するためのライセンスが必要になると推測することができる。また、この後者の場合、地上波放送ＥＰＧのライセンスが必要になり得ると推測することができるが、入力ソースとして地上波放送が使用されていなかった場合にはこのようなライセンスは必要ない。
【００２１】
或いは、ここでも内蔵モデム２４を通じてインターネットビデオを受信するか、それとも外部モデム４８からインターネットビデオを受信するかの選択肢をユーザに与えることができ、後者が選択された場合には、内部ブラウザ２６のライセンスを取得する必要はなく、そうでなければ、内部ブラウザ２６を使用するためにライセンスが必要となり得る。
【００２２】
ブロック６８に進み、ＴＶ１２は、ブロック６６におけるユーザセットアップ選択に基づいて必要と推測されるライセンス毎に、例えばインターネットを介してこのライセンスの要求をアップロードし、又は双方向ケーブルシステムなどを介して戻す。或いは、以下でさらに説明するように、この要求を電話で行うこともできる。要求がどのように行われるかに関わらず、通常はこれにより、ブロック６６におけるユーザ入力に基づいてライセンスが必要なコンポーネント、並びにＴＶの型番及びシリアル番号のハッシュ値などの、実施形態によっては必要に応じて暗号化されるＴＶの一意の識別番号が識別される。或いは、この一意の識別子を、装置１２の高精細コンテンツ保護（ＨＤＣＰ）キー選択ベクトル（ＫＳＶ）、又は媒体アクセス制御（ＭＡＣ）アドレス、又はデジタル伝送コンテンツ保護（ＤＴＣＰ）証明書とすることもでき、これらの１つ又はそれ以上を、装置１２のシリアル番号及び／又はモデル名とともにハッシュ化することができる。このハッシュ化した結果をサーバに送信することができる。これにより、サーバは、装置を一意に識別することができる。装置に修理が必要となり、装置に含まれる一意のＩＤが変更された場合、装置の以前のアイデンティティを新たなハッシュ化したＩＤに有利に切り替えることができる。このＩＤの切り替えを単純にするために、サーバは、一意のキーを生成し、最初のハッシュ化されたＩＤ、及び装置が修理されて新たな一意のＩＤを必要としている旨の通知を（装置１２から）受け取った後に、修理された装置にこの一意のキーを送信することができる。いくつかの実装では、装置１２のユーザが、元々のＩＤを手動で回収してサーバに送信し、サーバは、この元々のＩＤを使用して、装置１２により以前に有効にされたライセンスの記録をこの新たなＩＤに切り替える。
【００２３】
この要求は、セットアップ時に行うことができる。或いは、例えば適当なブロードバンド接続が検知された場合などに後でアップロードできるように、要求をキャッシュすることもできる。いずれにせよ、この要求は、予め記憶しているインターネットアドレスのインターネットサーバ、又はケーブルヘッドエンド、又は別の適当なライセンシングエンティティ又は代理店に送信することができる。
【００２４】
ブロック７０は、この要求が認証にパスしたと仮定した場合、ＴＶ１２が、通常は関連するコンポーネントを有効にするために又はそのロックを解除するためにＴＶプロセッサ１８に入力しなければならないコードであるライセンス情報の形でライセンスを受け取ることを示す。或いは、この関連するコンポーネントは、機能するためのソフトウェアコード、及び装置の販売時に脱落させることができる、ライセンシング可能な機能に関する重要コード部分を必要とすることができ、この重要コード部分は、コンポーネントのライセンシング可能な機能を有効にするためにブロック７０において供給される。重要コード部分が提供される前には、たとえこのライセンシング可能な機能を実行するのに必要な他のソフトウェアコード部分が装置とともに販売されていたとしても、このコンポーネントのライセンシング可能な機能は、単に保護されているのでなく事実上全く存在しない。
【００２５】
ブロック７２において、このコードをＴＶの適当な内部コンポーネントに自動的に入力することができ、或いはＴＶ上にコードを表示し、例えばＲＣ３０を使用してコードを入力するようにオンスクリーンＵＩを通じてユーザに促すことができる。コードが正しく入力されると、ＴＶ内の関連するコンポーネントが起動する。ブロック７４は、ライセンス料データを維持し、これを使用してライセンシング代理店からＴＶメーカーに対して課金情報を生成し、また以下でさらに説明するような市場データも生成できることを単純に示す。このデータは、上述の手段によりライセンシングエンティティ／代理店にアップロードされるまでＴＶ内に保持しておくことができる。
【００２６】
図４に、必要に応じてユーザセットアップルーチン外で自動ライセンス決定を行えることを示す。図４に示す例では、判定区画７６から開始して、ＴＶ内に特殊な接続などの所定の物理的状態が存在するかどうかを判断し、この判断からどのようなライセンシング可能コンポーネントが必要になるかを推測することができる。図４の例では、チューナ１６の自動利得制御（ＡＧＣ）回路内に電圧が存在することがこの物理的状態であり、この状態は、例えばＴＶシャーシにおいて地上波アンテナ３４への接続が行われた時、又は壁からのケーブルがＦタイプコネクタ３８に接続された時に生じる。
【００２７】
テストした物理的状態が存在する場合、ロジックはブロック７８に進み、この例ではＮＴＳＣ復調器５４を起動させる。これは、通常はＮＴＳＣ復調器がライセンスを必要としないことを認識した上で行われ、従って不必要にライセンスを要求することを防ぐために、まずチューナ１６内の信号がＮＴＳＣ信号であるかどうかを判定するテストを行う。判定区画８０は、このテストが、信号内に「ノイズ」が存在するかどうかであってもよいことを示す。
【００２８】
このテストにより、ＮＴＳＣ信号のみが存在すると示された場合、ロジックは終了するが、そうでない場合、ロジックはブロック８２に進んでＱＡＭデコーダ／復調器５６を起動させる。（ＱＡＭデコーダ／復調器５６がＱＡＭ信号の存在及び／又はノイズの非存在を認識したことにより）ＱＡＭのみが検出された場合、ロジックは終了するが、ＱＡＭデコーダ／復調器５６が信号を認識しなかった場合には、この信号がＱＡＭでも（判定区画８０から）ＮＴＳＣでもないことを示しており、従ってこの信号はＡＴＳＣであり、ＡＴＳＣデコーダ／復調器５８を使用する必要があると推測され、ブロック８６においてＡＴＳＣデコーダ／復調器５８を起動して信号を処理する。ブロック８８において、上述したライセンスコードを取得するために、ＴＶプロセッサ１８が、ＴＶの一意のＩＤを使用して上述したライセンシングエンティティ／代理店へのアップリンクを取得し、ブロック９０においてコードを受け取り、必要に応じてこのコードを使用してＡＴＳＣデコーダ／復調器５８の使用を許可する。
【００２９】
或いは、プロセッサ１８が、ＡＴＳＣデコーダ／復調器５８の起動後にライセンシングの会計が生じる旨のメッセージをライセンシングエンティティ／代理店に送信するようにプログラムされているという前提の下、ブロック９０のステップを省いてＡＴＳＣデコーダ／復調器５８を直ちに起動することもできる。
【００３０】
さらに、ここでも図４に破線で示すように、ロジックは、まず判定区画８４からブロック８８及び９０に進んでライセンシングの「ロック解除」コードを取得し、次にブロック８６に戻り、このコードを使用してＡＴＳＣデコーダ／復調器５８を起動し、ライセンシングエンティティ／代理店がＡＴＳＣデコーダ／復調器５８を使用する通知を受けるまで、必要なＡＴＳＣライセンスに対してＴＶを認証するまで、及びビジネスルールに従って、要求を満たすためにライセンスコードをダウンロードすべきであると判断するまで、ＡＴＳＣデコーダ／復調器５８を使用できないようにすることができる。
【００３１】
ＴＶの販売前に不要なライセンスに対する支払いを避けるために、ＴＶの販売後に必要なコンポーネントライセンスを自動的に取得することに従って採用できるさらなる推論ルールの例として、ＡＴＳＣが存在する場合には、ＱＡＭが見つかる可能性が低いこと、ＡＴＳＣが存在する場合には、総ＡＴＳＣチャネル数がＱＡＭチャネルの数よりも大幅に少なくなることが挙げられる。また、外部モデム４８から信号を受け取った場合には、オーディオビデオ番組のために内蔵ブラウザ２６を使用する必要はなく、従って内部モデム２４において信号を受け取ることなくイーサネット（登録商標）リンクを介してビデオを受け取ったということは、ブラウザ２６が未使用であることを意味すると推測することができる。
【００３２】
図５〜図７に、ライセンスを取得するためのセットアップ中に使用できるロジックを示す。ある人物が、ＲＣ３０などを使用して、（ＴＶ１２が実装できる）オーディオビデオディスプレイ製品９４上に表示されたオンスクリーンセットアップメニューなどから、利用可能な地上波又はケーブル又は衛星チャネルの自動スキャンを行う要求を入力９２することができる。これに応答して、ＡＶディスプレイ製品は、チューナのＩＤ及び製品９４のＩＤ及び／又はデコーダ／復調器５８のＩＤ／製品９４のＩＤを含むことができる、ＡＴＳＣデコーダ／復調器５８などの起動要求を送信する。この製品９４から受け取った情報に基づいて、ライセンシングエンティティ／代理店が、要求されたコンポーネントのライセンスをこの製品が取得する資格があると判断した場合、９６において、サーバ９８などの１又はそれ以上のライセンシングエンティティ／代理店からの起動コードを使用してＡＴＳＣデコーダ／復調器５８の起動が実行される。
【００３３】
ライセンシングエンティティ／代理店は、どの製品及びこれらの製品内のどのコンポーネントが起動していたかを示すログを保持することができ、このログに基づいて、起動されたコンポーネントのライセンシング請求を製品９４のメーカーに示すために、ライセンシング会計データを生成することができる。いずれにせよ、１００は、製品９４が起動コードなどの起動応答を受け取ることを示し、１０１において、復調器／デコーダ５８が起動されて、製品９４をＡＴＳＣ対応装置に変換する。ユーザは、オンスクリーン通知を使用して、現在製品９４を使用してＡＴＳＣ番組を視聴できる旨の通知を受けることができる。
【００３４】
図６に、代替の実施形態を示す。ある人物が、ＲＣ３０などを使用して、（ＴＶ１２が実装できる）オーディオビデオディスプレイ製品９４上に表示されたオンスクリーンセットアップメニューなどから、利用可能な地上波又はケーブル又は衛星チャネルの自動スキャンを行う要求を入力１０２することができる。これに応答して、１０４において、ライセンシングエンティティ／代理店への電話番号を含む電話情報が準備され、例えば製品９４上に示されたユーザインターフェイス又はプロンプトにより、この情報がユーザに通知１０６される。ユーザは、この番号を口に出すことにより、又は電話機を製品９４のスピーカに隣接させて保持し、電話機が検出する、音声応答ユニット（ＶＲＵ）１１０などを使用して番号を自動的にダイヤルするために使用するデュアルトーンマルチ周波数（ＤＴＭＦ）トーンを製品から受け取ることにより、電話機に情報を入力する１０８。
【００３５】
他の代替の実施形態では、サーバにショートメッセージサービス（ＳＭＳ）メッセージを送信して上記の情報を送信し、或いはＴＶ又はコンポーネント上のバータイプのコードを読み取って、ライセンスを取得するために必要な情報をサーバに送信する。いずれにせよ、起動時に及び／又は動作中に定期的に、どのライセンスが必要であるかを判断することができる。
【００３６】
１１２において、インターネットサーバなどのライセンシングエンティティ／代理店１１４によってチューナの起動が行われ、上述した起動コードがＶＲＵ１１０に送信１１６され、このＶＲＵ１１０がユーザにコードを提示して、１２０において起動処理を完了する。１０１において、ＡＴＳＣデコーダ／復調器５８などのライセンシング可能コンポーネントの起動が実行され、これにより製品９４がＡＴＳＣ対応装置に変換される。ユーザは、オンスクリーン通知を使用して、現在製品９４を使用してＡＴＳＣ番組を視聴できる旨の通知を受けることができる。
【００３７】
図７に、別の代替の実施形態を示す。ある人物が、ＲＣ３０などを使用して、（ＴＶ１２が実装できる）オーディオビデオディスプレイ製品９４上に表示されたオンスクリーンセットアップメニューなどから、利用可能な地上波又はケーブル又は衛星チャネルの自動スキャンを行う要求を入力１２２することができる。これに応答して、１２４において、ライセンシングエンティティ／代理店のインターネットアドレスを含むインターネット情報が準備され、例えば製品９４上に示されたユーザインターフェイス又はプロンプトにより、この情報がユーザに通知１２６される。ユーザは、この情報を家庭用コンピュータ１２７などに入力する１２８。１３０において、インターネットサーバなどのライセンシングエンティティ／代理店１３２によってチューナの起動が行われ、上述した起動コードがコンピュータに送信１３４され、このコンピュータが、ウェブページ又は電話機などを通じてユーザにコードを提示１３６して、１３８において起動処理を完了する。１０１において、ＡＴＳＣデコーダ／復調器５８などのライセンシング可能コンポーネントの起動が実行され、これにより製品９４がＡＴＳＣ対応装置に変換される。ユーザは、オンスクリーン通知を使用して、現在製品９４を使用してＡＴＳＣ番組を視聴できる旨の通知を受けることができる。
【００３８】
或いは、ショートメッセージサービス（ＳＭＳ）コード又はバーコードを使用してライセンス情報を交換することもできる。バーコードを使用するために、ＴＶは、様々なコンポーネント上のバーコードを撮像するカメラを含むことができ、これがプロセッサ１８により識別情報として解釈される。
【００３９】
いくつかの例では、（２つなどの）限られた数のＮＴＳＣチャネルしか必要でない場合、限定的なそれほど高価でないライセンスを要求し、ＮＴＳＣ復調器を介してこれらの２つのチャネルへのアクセスのみを許可するように認めることができ、レガシー装置（典型的にはＶＣＲ）が音声を使用する場合には、ステレオオーディオデコーダなどのいずれかのコンポーネントに対してライセンスが要求され認められる。
【００４０】
図８に、ライセンシングエンティティ／代理店のコンピュータが実行できるロジックを示す。ブロック１４０から開始して、例えば、図８に示すロジックを実行するためのソフトウェアをプログラムされた上述のサーバ又はヘッドエンドのいずれかにおいて、ＴＶ１２などからのライセンス要求が受け取られる。ブロック１４２において、上述した一意のＩＤを検索し、判定区画１４４において、例えば承認済み装置のリスト上に要求側装置が存在するかどうかを判定することにより、この装置が認証される。必要に応じて、要求の対象である特定のライセンシング可能コンポーネントのライセンスが既に付与されているかどうかをさらに判定することもでき、付与されている場合には認証を行わない。要求側装置が承認されており、要求の対象であるライセンシング可能コンポーネントのライセンスが未だ付与されてない場合、ロジックはブロック１４６に移って要求側装置に起動コードなどのライセンス情報を送信する。
【００４１】
ブロック１４８は、要求側装置に起動コードを送信したことに従ってライセンシング会計データが生成されることを示す。この会計データを使用して、要求側装置のメーカーから要求の対象であるコンポーネントのライセンシング機関に報酬をもたらすことができる。ブロック１５０において、許可された装置のデータベースが、ライセンスの付与を記録するように修正される。
【００４２】
ブロック１５２において、このライセンス付与に基づいてマーケティングデータを生成することができる。一例として、このライセンシング可能コンポーネントを含む装置の総販売数を、要求側装置に付与されたライセンス数と比較して、要求側装置内の他のコンポーネントと比較したこのコンポーネントの使用率を確認することができる。例えば、特定のＴＶモデルの販売された装置の３０％が、これまでにＡＴＳＣチューナの起動を要求していることが確認できたりする。このデータを、装置の登録中に取得した人口統計データにさらに相関付け、ＴＶチューナの起動を要求した装置の例えば３０％のうち、このような起動を要求する可能性が高かったのはどの地理的領域又は人口学的年齢グループであったかなどを知ることができる。購入者が提出した装置の登録情報を使用して、ＡＴＳＣチューナの起動を要求する装置のうち、これらの装置の例えば９０％が、結果的にケーブル又は衛星中継器がないと推測できる第２の又は第３の家庭用ＴＶであったことをさらに確認することができる。
【００４３】
同じコンポーネントに対する複数のライセンス支払いを避けるために、ライセンシング可能コンポーネントは、そのためのライセンスを取得することにより起動されると、その後ユーザによって停止できないことが好ましい。従って、少なくとも停止したことにより再起動するために別のライセンスが必要である限り、ＴＶプロセッサ１８を、起動されライセンス付与されたいずれかのコンポーネントに対してユーザからの停止コマンドが入力されたとしても、これを拒否するようにプログラムすることができる。
【００４４】
ＴＶプロセッサによりライセンスの検証を行って、例えば、ＴＶによってコンポーネントライセンスが要求されたものの、特定の時間内に対応する機能が一度も使用されなかった場合、ＴＶがこのライセンス要求を取り下げて、結果的にあらゆるライセンス料が払い戻されるようにすることもできる。
【００４５】
図９に、クライアント装置１２が、ディスクベース又は固体記憶装置などのコンピュータ可読記憶媒体２０４にアクセスして以下のロジックの関連部分を実行するプロセッサ２０２を有するサードパーティサーバ２００から、ライセンシング可能ウィジェット又はその他のライセンシング可能ソフトウェアなどのライセンシング可能コンポーネントを受け取れることを示す。「サードパーティ」とは、クライアント１２のメーカー以外のエンティティに所属するサーバのことを意味する。一方、クライアント装置１２のメーカーは、ディスクベース又は固体記憶装置などのコンピュータ可読記憶媒体（２１０）を実行して以下のロジックの関連部分を実行するプロセッサ２０８を有するメーカーサーバ２０６に所属する。
【００４６】
詳細には、１つの例では、及び図１０に示すように、ブロック２１２において、クライアント装置１２が、ダウンロード可能ソフトウェアなどのライセンシング可能コンポーネントを、ＴＰＳ２００へのハイパーリンク又はその他の手段を提供するインターネット広告などにより、サードパーティサーバ（ＴＰＳ）２００からインターネット又はその他のネットワークを介してダウンロードできる旨の通知を受けることができる。ブロック２１４に進み、許可が認められるのを待つ間、１又はそれ以上のＴＰＳ２００へのハイパーリンククリックを傍受するように、或いはクライアント装置１２がブラウザによってリンクのアクセスを実行するのを別様に遅らせるようにプログラムできるクライアント装置２１２は、クライアント装置メーカーサーバ（ＣＤＭＳ）２０６に、ＴＰＳ２００からライセンシング可能な機能をダウンロードする許可を（インターネットなどを介して）要求することができる。ＣＤＭＳ２０６がこれに応答し、判定区画２１６において、クライアント装置１２は、許可が認められたかどうかを判断する。クライアント装置１２は、ＣＤＭＳ２０６から断定的な「認めない」という応答を受け取ることにより、又はタイムアウト期間後に、許可が認められなかったという判断に応答して、ステップ２１８においてアクセスの試みを終了し、ライセンシング可能な機能をダウンロードしない。
【００４７】
対照的に、クライアント装置は、ＣＤＭＳ２０６から断定的な「認める」という応答を受け取ることにより、又はタイムアウト期間後に（この場合、否定がなかったことにより許可が認められたと推測される）、判定区画２１６における許可が認められたという判断に応答して、ブロック２２０において、ＴＰＳ２００からライセンシング可能な機能をダウンロードする。いくつかの実施形態では、サーバ２００、２０６が、ライセンシング可能な機能をダウンロードして起動したというクライアント装置１２からのレポートに応答して、ブロック２２２においてロイヤルティの支払いを決定するように、例えばロイヤルティの支払いをライセンシング可能な機能の作者に割り当てるように、又はクライアント装置１２のメーカーからＴＰＳ２００に所属するサードパーティに対して一定のロイヤルティの支払いを開始するように調整し、逆もまた同様である。他のビジネス使用事例を使用することもできる。
【００４８】
図１１に、図９の装置が使用できる異なる機構を示す。ブロック２２４から開始して、クライアント装置１２が、ダウンロード可能ソフトウェアなどのライセンシング可能コンポーネントを、ＴＰＳ２００へのハイパーリンク又はその他の手段を提供するインターネット広告などにより、ＴＰＳ２００からインターネット又はその他のネットワークを介してダウンロードできる旨の通知を受けることができる。ブロック２２６に進み、クライアント装置１２は、このコンポーネントへのハイパーリンクを選択してその後の命令を実行することなどにより、ＴＰＳ２００からライセンシング可能コンポーネントをダウンロードする。次に、ブロック２２８において、クライアント装置１２は、コンポーネントを取得して有効にしたことをＣＤＭＳ２０６に通知し、或いは一部の実施形態では、このコンポーネントを有効にするための許可を要求し、この場合、判定区画２１６において概説したロジックを実行して、クライアント装置がこのコンポーネントを有効にするように許可されているか否かを判断することができる。
【００４９】
クライアント装置１２が、ライセンシング可能コンポーネントを受け取って有効にしたことをＣＤＭＳ２０６に通知したと仮定した場合、ブロック２３０において、サーバ２００、２０６の一方又は両方により、そのロイヤルティの支払いが決定される。
【００５０】
図１２に、図９の装置が使用できるさらに別の機構を示す。ブロック２３２から開始して、クライアント装置１２が、ダウンロード可能ソフトウェアなどのライセンシング可能コンポーネントを、ＴＰＳ２００へのハイパーリンク又はその他の手段を提供するインターネット広告などにより、ＴＰＳ２００からインターネット又はその他のネットワークを介してダウンロードできる旨の通知を受けることができる。ブロック２３４に進み、クライアント装置１２は、このコンポーネントへのハイパーリンクを選択してその後の命令を実行することなどにより、ＴＰＳ２００からライセンシング可能コンポーネントをダウンロードする。次に、ブロック２３６において、ＴＰＳ２００が、クライアント装置がコンポーネントを取得したことをＣＤＭＳに通知する。ブロック２３８において、サーバ２００、２０６の一方又は両方により、そのロイヤルティの支払いが決定される。
【００５１】
最後に図１３を参照すると、ブロック２４０において、クライアント装置１２がライセンシング可能コンポーネントを利用できるようにする前に、ＴＰＳ２００とＣＤＭＳ２０６が通信して、ＣＤＭＳ２０６に所属するメーカーが作成した装置１２によるライセンシング可能コンポーネントのダウンロードをＴＰＳ２００がホストすることをＣＤＭＳ２０６に通知することができる。この結果、ブロック２４２においてロイヤルティが決定される。例えば、単純にするために、単独の包括的ロイヤルティを支払い、これに応じて、ＴＭＤＳ２００は、メーカーに所属するクライアント装置１２に所定の最大数のライセンシング可能コンポーネントを提供し、それ以上は何も行わないと決定することができる。或いは、上述した原理に従うダウンロードイベントに基づいて、ライセンシング可能コンポーネントのクライアント装置への各個々の提供に対する個々のロイヤルティの支払いを１対１で設定して割り当て、又は支払い、又はトリガすることもできる。ブロック２４４において、ＴＰＳ２００は、このライセンシング可能コンポーネントをクライアント装置が使用できるようにする。
【００５２】
限定ではないが、以下の技術のライセンスに対する支払いの必要性を判断することができ、この判断は、ＴＶのセットアップ中に又はその後に、これらの技術が使用されているかどうかを自動的に検出することによって行われる。
ビデオデコーダ
ＭＰＥＧ−２ビデオ、光学ディスクを備えたＭＰＥＧ−２ビデオ、ＭＰＥＧ４アドバンスドビデオコーディング（ＡＶＣ）、ＭＰＥＧ４  Ｖｉｓｕａｌ、ＭＰＥＧビデオコーデック（ＶＣ）１
オーディオデコーダ
統一ＡＡＣ（ＭＰＥＧ２＆４ＡＡＣ）２ｃｈ、統一ＡＡＣ（ＭＰＥＧ２＆４  ＡＡＣ）３ｃｈ、Ｄｏｌｂｙ  Ｄｉｇｉｔａｌ  ＡＣ３  ２ｃｈ、Ｄｏｌｂｙ  Ｄｉｇｉｔａｌ  ＡＣ３  ５．１ｃｈ、Ｄｏｌｂｙ  Ｄｉｇｉｔａｌ  Ｐｌｕｓ（ＤＤ＋）２ｃｈ、ＰｒｏＬｏｇｉｃ２（Ｓｕｒｒｏｕｎｄ  Ｓｏｕｎｄ）、ＭＰＥＧオーディオ１＆２レイヤ１、２、３）ＭＰ３、ＤＴＳ＿Ｂｌｕｅｒａｙディスク（ＢＤ）（２ＣＨ／２ＣＨ＋デジタルアウト）、ＢＢＥサウンド、音声検索システム（ＳＲＳ）サウンド
ＥＰＧ
Ｇｅｍｓｔａｒ  Ｇｕｉｄｅ  ＥＰＧ、ｎｏｎ−Ｇｅｍｓｔａｒ  ＥＰＧ（ＳＩ−ＥＰＧ）
復調器
社団法人電波産業会（ＡＲＩＢ）（Ｄ＋ＢＳ＋ＣＳ）、ＡＴＳＣ、デジタルビデオ放送（地上波）（ＤＶＢ−Ｔ）
デジタル権利管理（ＤＲＭ）を含むその他のコンポーネント
ジョイント・フォトグラフィック・エキスパート・グループ（ＪＰＥＧ）、デジタル伝送コンテンツ保護（ＤＴＣＰ）／ＡＡＣＰ／Ｏｐｅｎ  ＭＧ、ＨＤＭＩ（登録商標）、システム同期輝度制御（コントラスト拡張）、インバータコントローラ集積回路（ＩＣ）、ＩＥＥＥ８０２．１１無線ライセンス、ＩＥＥＥ８０２．１１（ｎ）、ＢＤ  Ｐｏｏｌ（プレーヤ）、ＢＤ  Ｐｏｏｌ（レコーダ）、デジタルビデオディスク（ＤＶＤ）フォーマット、ＩＥＥＥ８０２．１１／１６、ＩＥＥＥ１３９４
ソフトウェア
ＪＡＶＡ（登録商標）、ＭＨＰ／Ｇｉｎｇａ対話型ＴＶソフトウェア、ＪＡＶＡ（登録商標）−ＢＤコンビネーション、ＤｉｖＸコーデックソフトウェア、ウィンドウズ（登録商標）メディアオーディオ、ウィンドウズ（登録商標）メディアビデオ、ウィンドウズ（登録商標）メディアネットワーク読み取り、ウィンドウズ（登録商標）メディアデジタル権利管理（ＤＲＭ）、音声透かし、Ｎｅｔｆｒｏｎｔ、ウェブブラウザソフトウェア
【００５３】
また、上述したライセンス要求機構をトリガすることなく、製造暗号化キー及びテスト暗号化キーを使用して、販売前の製造時にライセンシング可能コンポーネントのテストを許可することもできる。ＴＶを、製造又はテストステップでのみ使用されるテスト起動モードに入れることができ、このテストモードは、必要に応じてハードウェア組み込みタイムアウトを有することができる。１又は複数のテストキーを使用してライセンシング可能コンポーネントを起動することができ、ライセンス要求アルゴリズムは、テストキーを認識し、この認識に応答してライセンスを要求しない。このテスト起動モードを、単一のパワーサイクル後に停止するようにハードウェアに組み込み、その後、ＴＶプロセッサが、テストモードの再起動を許可しないようにすることができる。その後ライセンシング可能コンポーネントを起動するには、ライセンス要求に関連する製造キーが必要となる。
【００５４】
本明細書では、特定の「サードパーティによりオーディオビデオ装置に提供されたライセンシング可能コンポーネントの起動」を図示し詳細に説明したが、本発明に含まれる主題は、特許請求の範囲によってのみ限定されると理解されたい。
【符号の説明】
【００５５】
１０  システム
１２  ＴＶ
１６  チューナ
１８  ＴＶプロセッサ
２０  媒体
２２  スピーカ
２４  モデム
２６  ブラウザ
２８  ディスプレイ
３０  遠隔制御
３２  地上波ＴＶ放送源
３４  地上波アンテナ
３６  ケーブルＴＶヘッドエンド
３８  Ｆタイプコネクタ
４０  セットトップボックス
４２  ＴＶ放送用衛星
４４  受信アンテナ付き一体型受信機／デコーダ
４６  インターネット
４８  外部モデム
【図１】
0005692552.tif 000002
【図２】
0005692552.tif 000003
【図３】
0005692552.tif 000004
【図４】
0005692552.tif 000005
【図５】
0005692552.tif 000006
【図６】
0005692552.tif 000007
【図７】
0005692552.tif 000008
【図８】
0005692552.tif 000009
【図９】
0005692552.tif 000010
【図１０】
0005692552.tif 000011
【図１１】
0005692552.tif 000012
【図１２】
0005692552.tif 000013
【図１３】
0005692552.tif 000014